(57)【要約】【課題】クリーニング用ウエブの使用量を抑えてランニングコストの上昇を抑えつつ、定着処理後の用紙の画質を向上させる。【解決手段】巻回された清掃用ウエブを供給ローラから引き出し、トナーの用紙への定着を行う清掃部位に摺接させつつ巻き取る巻取ローラを備えてなる画像形成装置において、前記ウエブを巻き取るべく前記巻取ローラに回転動作を行わせる駆動手段と、用紙に対する所定分の定着動作毎に前記巻取ローラの現巻取径に対応させて実質的に定寸法ずつの巻き取り動作を前記駆動手段に行わせる駆動制御手段とを備えたことを特徴とする定着装置。【選択図】        図５
2004302029.tif 000002
【特許請求の範囲】
【請求項１】
巻回された清掃用ウエブを供給ローラから引き出し、トナーの用紙への定着を行う定着部位に摺接させつつ巻き取る巻取ローラを備えてなる定着装置において、前記ウエブを巻き取るべく前記巻取ローラに回転動作を行わせる駆動手段と、用紙に対する所定分の定着動作毎に前記巻取ローラの現巻取径に対応させて実質的に定寸法ずつの巻き取り動作を前記駆動手段に行わせる駆動制御手段とを備えたことを特徴とする定着装置。
【請求項２】
前記駆動手段は、一回の駆動動作で単位回転角度だけ前記巻取ローラを回転させるもので、前記駆動制御手段は、巻取径の増大に応じて駆動動作の回数を漸減させるものであることを特徴とする請求項１記載の定着装置。
【請求項３】
前記駆動手段は、巻取ローラに連結された減速回転部材と、前記減速回転部材を１回の駆動動作で一定角度だけ回転させる電磁ソレノイドであることを特徴とする請求項２記載の定着装置。
【請求項４】
前記駆動制御手段は、前記駆動動作の回数と、前記駆動動作の回数の累計数との関係を予め格納する記憶手段と、駆動動作の累計を求める積算手段とを備え、前記積算値が前記記憶手段に記憶されている前記関係における値に達する毎に、駆動動作の回数を変更するものであることを特徴とする請求項２又は３に記載の定着装置。
【請求項５】
前記駆動制御手段は、前記駆動動作の回数と、通紙枚数の累計との関係を予め格納する記憶手段と、前記回数の累計を求める積算手段とを備え、前記積算値が前記記憶手段に記憶されている前記関係における値に達する毎に、駆動動作の回数を変更するものであることを特徴とする請求項２又は３に記載の定着装置。
【請求項６】
上記所定分が用紙一枚分であることを特徴とする請求項１乃至５のいずれかに記載の定着装置。
【請求項７】
用紙に転写されたトナー画像を請求項１〜６のいずれかに記載の定着装置によって定着することを特徴とする画像形成装置。
【発明の詳細な説明】
【０００１】
【発明の属する技術分野】
本発明は、感光体上のトナー画像を転写して転写紙、ＯＨＰフィルム等の用紙に画像を形成する画像形成装置に関し、特に、未定着トナー画像を用紙に定着させる定着装置に関するものである。
【０００２】
【従来の技術】
従来、感光体ドラム上のトナー画像を転写して用紙に画像を形成する画像形成装置（複写機，プリンタ等）には、互いに圧接回転する定着ローラと加圧ローラとを有する定着装置が備えられている。定着装置は、未定着トナー画像の形成された用紙（転写紙、ＯＨＰフィルム等）が前記両ローラ間を通過する際に、前記トナーを加熱溶融して、未定着のトナー画像を用紙に定着させるものである（例えば、特許文献１に記載の定着装置）。
【０００３】
前記定着ローラには、定着動作の毎に、トナーが付着するため、定期的にクリーニングを行い、定着後の用紙に不要なトナーの付着を阻止する必要がある。
【０００４】
クリーニング機構としては、清掃用ウエブを繰り出す供給ローラと、供給ローラから繰り出された清掃用ウエブを巻き取る巻取ローラとを備えると共に、両ローラの間で前記清掃用ウエブを加熱ローラ（又は加圧ローラ）の表面に摺擦するようにしたものがある。そして、用紙を所定枚数だけ定着させる毎に、前記巻取ローラを一定角度回転させることにより、前記清掃用ウエブの未使用部分が定着ローラに摺擦するようなっている。
【０００５】
しかしながら、従来のクリーニング機構では、巻取ローラへの清掃用ウエブの量が巻取量に応じて巻取ローラでの巻取径が増大するため、巻取ローラを一定角度回転させた場合の清掃用ウエブの巻取量も漸増することになる。
【０００６】
【特許文献１】
特開２００１−３４３８５３号公報
【０００７】
【発明が解決しようとする課題】
前記巻取ローラの巻取径が増大した場合においても、用紙一枚当たりに消費される清掃用ウエブの量を実質的に一定とするため、例えば、巻取ローラの巻取径が増大し、回転角当たりの清掃用ウエブの繰り出し量が多くなることに応じて、巻取ローラを一回作動する間に定着処理する用紙の数量を多くすることが考えられる。
【０００８】
しかしながら、この構成では、巻取径が増大するに伴い、巻取ローラを作動させる直前の加熱ローラ（又は加圧ローラ）には多くのトナーが付着することになり、定着処理後の用紙上の画像の画質が低下するといった課題があった。
【０００９】
本発明においては、かかる課題を解決すべく、清掃用ウエブの使用量を抑えつつ、定着処理後の用紙上の画像の画質の低下を防止することが可能な定着装置及び画像形成装置を提供するものである。
【００１０】
【課題を解決するための手段】
本発明は、巻回された清掃用ウエブを供給ローラから引き出し、トナーの用紙への定着を行う清掃部位に摺接させつつ巻き取る巻取ローラを備えてなる画像形成装置において、前記ウエブを巻き取るべく前記巻取ローラに回転動作を行わせる駆動手段と、用紙に対する所定分の定着動作毎に前記巻取ローラの現巻取径に対応させて実質的に定寸法ずつの巻き取り動作を前記駆動手段に行わせる駆動制御手段とを備えたことを特徴とする定着装置である。
【００１１】
この構成によれば、所定分（用紙の枚数あるいは用紙サイズを考慮したトナーの消費分）の定着動作毎に前記巻取ローラの巻取径に対応させて実質的に定寸法ずつの巻き取り動作を前記駆動手段に行わせる駆動制御手段を備えているため、前記巻取径が増大しても、前記巻取ローラを作動させた場合に搬送される清掃用ウエブの量は実質的に定寸法に保持されて用紙一枚当たりに消費する清掃用ウエブの量が一定化されるので、従来のように巻取ローラを一回作動させるまでに定着処理される用紙の数量等を変動させる必要はない。
【００１２】
従って、巻取径が漸増していっても、クリーニング直前でのトナー付着量が変動することがなくなり、定着処理後の用紙上の画像の画質が低下することが抑制される。
【００１３】
具体的には、請求項２の発明のように、前記駆動手段が、一回の駆動動作で単位回転角度だけ前記巻取ローラを回転させるものであり、前記駆動制御手段が、巻取径の増大に応じて駆動動作の回数を漸減させる構成を採ることが出来る。
【００１４】
また、請求項３の発明は、前記駆動手段は、巻取ローラに連結された減速回転部材と、前記減速回転部材を一回の駆動動作で前記単位回転角度だけ回転させる電磁ソレノイドにしたものである。
【００１５】
なお、上記所定分は、請求項６のように用紙一枚分、すなわち用紙一枚を定着させる毎に前記巻き取り動作を行うようにすると、定着処理後の用紙上の画質が低下することをより有効に抑制される。
【００１６】
請求項４の発明は、前記駆動制御手段には、前記駆動動作の回数と、前記駆動動作の回数の累計数との関係を予め格納する記憶手段と、駆動動作の累計を求める積算手段とを備え、前記積算値が前記記憶手段に記憶されている前記関係における値に達する毎に、駆動動作の回数を変更するものである。
【００１７】
この構成によれば、巻取径を直接的に計測しなくても上記駆動動作の回数を変更させることが可能であるため、巻取径を計測するための特殊な部材を備える必要がない。従って、部品数を軽減すると共に、省スペース化を図られる。
【００１８】
また、請求項５の発明のように、前記駆動制御手段に、駆動動作の回数と、通紙枚数の累計との関係を予め格納する記憶手段と、前記回数の累計を求める積算手段とを備え、前記積算値が前記記憶手段に記憶されている前記関係における値に達する毎に、駆動動作の回数を変更するようにしてもよい。
【００１９】
この構成によれば、巻取ローラの巻取径を計測しなくても上記駆動動作の回数を変更させることが可能であるため、センサ等に代表されるような、巻取径を計測するための特殊な部材を備える必要がない。従って、部品数を軽減すると共に、省スペース化を図られる。
【００２０】
また、請求項７の発明は、用紙に転写されたトナー画像を上記の定着装置によって定着することを特徴とする画像形成装置である。
【００２１】
【発明の実施の形態】
以下、本発明の一実施形態に係る画像形成装置について図面を参照して説明する。
【００２２】
図１は画像形成装置の一例を示す全体断面図である。この画像形成装置１は、画像形成装置本体の下部に配設された給紙部１００と、この給紙部１００の側方及び上方に配設された用紙搬送部２００と、この用紙搬送部２００の路上適所に配設された画像形成部３００と、この画像形成部３００よりも用紙搬送方向下流側に配設された定着部（定着装置）４００と、画像形成装置の本体上部に配設された画像読取部５００とを備えている。
【００２３】
給紙部１００は、給紙カセット１１１に積層載置された転写用紙（用紙）１１５の束のうち最上位置の転写用紙１１５から１枚ずつ用紙搬送部２００に給紙するものである。用紙搬送部２００は、給紙部１００から給紙された転写用紙１１５を、ローラ対２０２，２０３によって画像形成部３００に向けて搬送し、さらに画像形成部３００から定着部４００において画像形成がなされた転写用紙１１５を排出ローラ対２０５を介して排出トレイ２０４上に排出するものである。
【００２４】
画像形成部３００は、電子写真プロセスによって転写用紙１１５に所定のトナー像を形成するものであり、回転可能に軸支された感光体ドラム３０１と、この感光体ドラム３０１の周囲に、帯電ユニット３０２、露光ユニット３０３、現像ユニット３０４、転写ユニット３０５、クリーナー３０６および除電ユニット３０７を備えている。
【００２５】
定着部４００は、互いに圧着された定着ローラ４０１と加圧ローラ４０２を少なくとも備えており、画像形成部３００においてトナー像が転写された転写用紙１１５を、両ローラ４０１、４０２によって挟んで加熱し、転写用紙１１５上にトナー像を融着させるものである。
【００２６】
画像読取部５００は、コンタクトガラス５０１上に載置された原稿に、露光ランプから光を照射し、その反射光をＣＣＤラインセンサ等からなる光電変換部に導くことにより、原稿の画像情報を読み取るものである。
【００２７】
図２は、定着部４００の構造を示す部分斜視図である。定着部４００には、定着ローラ４０１及び加圧ローラ４０２に加え、電磁ソレノイド４０３（以下、ソレノイド４０３という。）、ワンウェイクラッチ４０４、複数の減速ギア４０５（減速回転部材に相当）、清掃用ウエブＷ（以下、ウエブＷと略す）を供給する供給ローラ４０６、及びこのウエブＷを巻き取る巻取ローラ４０７を備えている。
【００２８】
供給ローラ４０６と巻取ローラ４０７との間には、摺擦ローラ４０８が備えられ、前記摺擦ローラ４０８は、定着ローラ４０１に所要圧で接するように配置されている。
【００２９】
ウエブＷを巻き取る駆動手段は、ソレノイド４０３と、ワンウェイクラッチ４０４、及び、巻取ローラ４０７とソレノイド４０３を連結する複数の減速ギア４０５とから構成されている。ソレノイド４０３のロッド４０３ａが、後述の駆動制御部（駆動制御手段）７００の巻取部７０４からの駆動信号に合わせて往復運動が行われ、この動力が、ワンウェイクラッチ４０４で一方向の回転運動に変換される。ロッド４０３ａの一回の出没動作に伴うワンウェイクラッチ４０４の回転運動により、減速ギア４０５を介して巻取ローラ４０７が所定角度（単位回転角度）だけ巻き取り方向へ回転駆動される。巻取ローラ４０７の回転方向は、ウエブＷが定着ローラ４０１の回転方向と逆方向から定着ローラ４０１に摺擦する（図２においては矢印方向）ことが好ましい。
【００３０】
図３は、画像形成装置１の全体部分を制御する制御装置７０で制御される部分のうち、定着部４００にかかわる部分について説明したものである。
【００３１】
定着部４００に関わる制御部分としては、駆動制御部（駆動制御手段）７００と、加熱制御部７１０とを備えている。
【００３２】
駆動制御部７００は、積算部（積算手段）７０１、記憶部（記憶手段）７０２と、巻取量制御部７０３と、巻取部７０４とを備えている。積算部７０１は、ソレノイド累計動作回数ｎｋを求めるものであり、記録部７０２は、ソレノイドの累計動作回数ｎｋに対応するソレノイド動作回数ｎを記憶するものである。
【００３３】
なお、ソレノイド累計動作回数ｎｋとは、ウエブＷの繰り出しの最初からソレノイドのロッド４０３ａが往復した累計数であって、巻取ローラ４０７の巻取径Ｒ（以下、「巻取径Ｒ」とは、巻取ローラ４０７の巻取径Ｒのことをいう。）が漸増すると共に増加、すなわち巻取径Ｒと相関関係にある。また、ソレノイド動作回数ｎとは、一回清掃作業を行うとき、巻取ローラ４０７を回転させてウエブＷを所定分搬送させるためにソレノイドのロッド４０３ａを動作させる数のことを示す。
【００３４】
そして、巻取量制御部７０３は、積算部７０１で求めたソレノイド累計動作回数ｎｋに対応するソレノイド往復回数ｎを積算部７０１から読み込むことで、ソレノイド累計動作回数ｎｋに対応するソレノイド動作回数ｎを設定し、巻取部７０４で、かかる設定に応じた回数の駆動信号をソレノイド４０３に送信し、この信号に合わせてロッド４０３ａが往復運動される。なお、加熱制御部７１０は、定着ローラ４０１を加熱する温度を制御し、定着ローラ４０１を所定の温度に設定する。
【００３５】
図４を用いて、ウエブＷによるクリーニング作業の手順について説明する。
【００３６】
Ｓ５１で、コピー作業を行う指示の有無を判定し、かかる指示がある場合（ＹＥＳの場合）の場合は、次のステップ（Ｓ５３）へと作業が進行し、かかる指示がない場合（ＮＯの場合）は、指示があるまでクリーニング作業を行わない。Ｓ５３でウエブＷの残量が存在するかを判定し、ウエブＷの残量が存在しない場合（ＮＯの場合）は、巻取ローラ４０７の巻き取り動作を行うことなくクリーニング作業を終了する。Ｓ５５でコピーを行った枚数を積算し、Ｓ５７でコピーを行った数量が所定数に達したかを判定し、所定数に達した場合（ＹＥＳの場合）、ソレノイド累計動作回数ｎｋに応じたソレノイド動作回数ｎを記録部７０２から読み出すことでソレノイド動作回数ｎを設定し（Ｓ５９）、所定数に達しない場合（Ｓ５７でＮＯの場合）は、巻取ローラ４０７の巻き取り動作を行うことなくクリーニング作業を終了する。なお、所定数とは巻取ローラ４０７を一回動作させるまでに定着させる用紙の数量のことを差し、任意の整数が予め設定されている。なお、この数は、一に設定する、すなわち、用紙一枚を定着させる毎に巻き取りローラ４０７を動作させる方が、定着処理後の用紙上の画質が低下することをより有効に抑制出来るため好ましい。Ｓ６１ではＳ５９で設定されたソレノイド動作回数ｎの回数分の駆動信号をソレノイド４０３に出力する。なお、この出力に応じてロッド４０３ａがｎ往復し、巻取ローラ４０７が所定角度だけ巻き取り方向へ回転する。Ｓ６３で、ソレノイド累計動作回数ｎｋとしてすでに記録されている数に、Ｓ６１で出力された駆動信号の数（ソレノイド動作回数ｎと同数）を加算し、この数を新たなソレノイド累計動作回数ｎｋに設定する。
【００３７】
前記のソレノイド動作回数ｎの設定方法につき、図５（ａ）を用いてさらに具体的に説明する。本実施形態は、巻取径Ｒの初期値を１０ｍｍとし、巻取径Ｒが３０ｍｍに達した時点で巻き取り終了となるものである。そして、ソレノイド動作回数ｎの初期値としては、本実施形態では６回であり、かかる場合のウエブ送り量は０．１ｍｍとなっている。なお、ウエブ送り量を０．１ｍｍに設定した理由としては、本実施形態においては、所定枚数Ｐの用紙を定着させた後に定着ローラ４０１を清掃する上で必要最小限の長さであるからである。
【００３８】
そして、ソレノイド動作回数ｎの変更を、本実施形態では、巻取径Ｒが１５ｍｍ及び２０ｍｍに達した段階で行っている。なお、かかる変更を行う場合、ウエブ送り量が０．１ｍｍになるようにソレノイド動作回数ｎを調節する。ウエブ送り量は、「巻取径Ｒ×回転角（ソレノイド動作回数ｎと比例関係）」となるため、ウエブ送り量を０．１ｍｍとするためには、ソレノイド動作回数ｎは、巻取径Ｒと反比例する関係になる。すなわち、巻取径Ｒが１５ｍｍの場合のおいてはｎ＝４、２０ｍｍの場合においては、ｎ＝３となる。なお、より細かくソレノイド動作回数ｎの設定を行うためには、ｎを整数に設定出来る巻取ローラ径、例えば巻取径Ｒが１２ｍｍであるときｎ＝５にすれば、ウエブ送り量を０．１ｍｍに設定出来るので、かかる状況でソレノイド動作回数ｎの変更を行ってもよい。
【００３９】
記録部７０２には、上記の通り、ソレノイドの累計往復数ｎｋに対応するソレノイド動作回数ｎが記憶されている。本実施形態では、ソレノイドの累計往復数ｎｋが、ｎ２回以下の場合（巻取径Ｒは１０ｍｍ〜１５ｍｍに対応）においてはソレノイド動作回数ｎは６回、ｎ２回〜ｎ３回（巻取径Ｒは１５ｍｍ〜２０ｍｍに対応）においてはソレノイド動作回数ｎは４回、ｎ３回〜ｎ４回（巻取径Ｒは２０ｍｍ〜３０ｍｍに対応）においては、ソレノイド動作回数ｎは３回に設定されるように記録されている。
【００４０】
次に、図５（ａ）の状態に設定した場合において、巻取径Ｒと、ウエブ送り量との関係を図５（ｂ）に示すと、巻取径Ｒが１０ｍｍであるとき、ウエブ送り量は０．１ｍｍであり、以降、巻取径Ｒが増加するとともにウエブ送り量は比例的に増加する。そして、巻取径Ｒが１５ｍｍに達したとき、すなわち、ソレノイド動作回数ｎを切り替える径に達したとき、ソレノイド動作回数ｎを切り替えてウエブ送り量を０．１ｍｍに戻される。以降、巻取径Ｒが増加するとともにウエブ送り量は比例的に増加し、ソレノイド動作回数ｎを切り替える径に達したとき、ソレノイド動作回数ｎを切り替えてウエブ送り量が０．１ｍｍに戻されるという状態が繰り返される。
【００４１】
このようにソレノイド動作回数ｎを適宜切り替えることにより、ウエブ送り量が０．１ｍｍから大幅に大きくなることが防止される。
【００４２】
以上のことから、本実施形態の定着装置を用いると、ソレノイドの累計往復数ｎｋが増大、すなわち巻取径Ｒが増大しても、適宜、ソレノイド動作回数ｎを減少させることにより、巻取ローラ４０７が搬送するウエブＷの送り量が、実質的に定寸法（本実施形態では０．１ｍｍ近傍）に保持される。したがって、用紙一枚当たりに消費する清掃用ウエブの量が一定化させるために、従来のように巻取ローラ４０７を一回作動させるまでに定着処理される用紙の数量を変動させる必要はない。よって、巻取径Ｒが漸増していっても、クリーニング直前でのトナー付着量が変動することがなくなり、定着処理後の用紙上の画像の画質が低下することが抑制される。
【００４３】
さらに、ソレノイドの累計往復数ｎｋを求める積算部７０１と、このソレノイドの累計往復数ｎｋに対応するソレノイド動作回数ｎが記憶されている記録部７０２とを備えており、積算部７０１で求められたソレノイド累計動作回数ｎｋに応じたソレノイド動作回数ｎを、記録部７０２から読み出すことで、ソレノイド動作回数ｎを設定することから、巻取ローラ４０７の径Ｒをセンサ等で直接計測しなくてもソレノイド動作回数ｎを変更させることが可能であるため、かかる変更の制御を行うにあたり、特殊な部材を備える必要がない。よって、部品数を軽減すると共に、省スペース化を図られる。
【００４４】
なお、積算部７０１は、ソレノイドの累計往復数ｎｋを求める代わりに、定着させた用紙の数量を積算し、記録部７０２に記録する内容を、かかる用紙枚数の累計に対応するソレノイド動作回数ｎが記憶されているようにしてもよい。この場合においても、巻取ローラ４０７径Ｒをセンサ等で直接計測しなくてもソレノイド動作回数ｎを変更させることが可能となり、ソレノイド動作回数ｎの変更の制御を行うにあたり、特殊な部材を備える必要がない。
【００４５】
また、積算部７０１で用紙の枚数の数量を積算する場合、用紙の大きさも考慮して積算することも可能である。例えば、Ａ４版の用紙を一枚定着させたときに一枚として積算する場合、Ａ３版の用紙を一枚定着させた場合においては二枚として積算してもよい。
【００４６】
その他の実施形態
（１）  ソレノイド動作回数ｎは、積算部７０１で求められたソレノイドの累計往復数ｎｋ、及び、ウエブＷの厚み等から巻取径Ｒを算出することにより設定してもよい。
【００４７】
（２）  ソレノイド動作回数ｎについては、必ずしも初期値として６回を設定する必要はなく、任意の整数を設定することが可能である。この場合、ソレノイド動作回数ｎの初期値を大きくするほど、ソレノイド動作回数ｎを減少させる機会をより多く設定することができるため、ウエブ搬送量の変動が少なくなり、清掃用ウエブＷを効率的に使用することができる。
【００４８】
（３）  巻取ローラ４０７を作動させるタイミングとしては、必ずしも所定枚数Ｐの用紙を定着させた後に行う必要はない。例えば、用紙のサイズの読み出しを行うことにより、定着させた用紙の長さの累計が一定長になったタイミングで行うことが考えられる。また、所定量のトナーを使用したタイミングで巻取ローラ４０７を作動させる制御を行ってもよい。
【００４９】
（４）  必ずしも、定着ローラ４０１に加熱機構を設ける必要はない。例えば、定着ローラ４０１に加熱機構を設ける代わりに、加圧ローラ４０２に加熱機構を設けてもよい。この場合、清掃用ウエブＷは加圧ローラ４０２に摺接するように配置される。
【００５０】
（５）  巻取ローラ４０７を作動させる駆動手段は、必ずしも電磁ソレノイド４０３を用いる必要はない。例えば、ＤＣモータ等を用いてもよい。
【００５１】
（６）  画像形成装置は、複写機に限定されることはなく、ＦＡＸ、プリンター等であってもよい。
【００５２】
【発明の効果】
本発明は、清掃用ウエブを巻き取るべく巻取ローラに回転動作を行わせる駆動手段と、所定分の定着動作毎に前記巻取ローラの巻取径に対応させて実質的に定寸法ずつの巻き取り動作を前記駆動手段に行わせる駆動制御手段とを備えているため、巻取径が漸増していっても、前記巻取ローラを作動させた場合に搬送される清掃用ウエブの量は実質的に定寸法に保持され、かつ、クリーニング直前での加熱ローラ又は加圧ローラのトナー付着量の変動が抑止される。したがって、巻取径の変化による清掃用ウエブの消費量の増大を抑えつつも、定着処理後の用紙上の画像の画質が低下することが抑制される。
【００５３】
また、前記駆動制御手段には、前記駆動動作の回数と、前記駆動動作の回数の累計数との関係を予め格納する記憶手段と、駆動動作の累計を求める積算手段とを備え、前記計測値が所定値に達する毎に、駆動動作の回数を変更するものであるため（請求項４）、巻取ローラの巻取径センサ等で計測しなくても上記駆動動作の回数を変更させることができ、部品数を軽減すると共に、省スペース化を図られる。
【図面の簡単な説明】
【図１】本発明の一実施形態にかかる画像形成装置の構成を示す説明図である。
【図２】本発明の一実施形態にかかる画像形成装置の定着装置部分の構成を示す部分斜視図である。
【図３】本発明の一実施形態にかかる画像形成装置の定着装置部分にかかる制御構造を示すブロック図である。
【図４】本発明の一実施形態にかかる画像形成装置の定着装置をクリーニングする制御方法を示すフローチャートである。
【図５】本発明の一実施形態にかかる画像形成装置において、（ａ）は巻取ローラの巻取径Ｒと、ソレノイド動作回数ｎとの関係を示し、（ｂ）は前記巻取径Ｒと、ウエブ送り量との関係を示したグラフである。
【符号の説明】
１      画像形成装置
４００  定着部（定着装置）
４０３  電磁ソレノイド（駆動手段）
４０５  減速ギア（減速回転部材）
４０６  供給ローラ
４０７  巻取ローラ
７００  駆動制御部（駆動制御手段）
７０１  積算部（積算手段）
７０２  記録部（記録手段）
Ｗ      清掃用ウエブ
【図１】
2004302029.tif 000003
【図２】
2004302029.tif 000004
【図３】
2004302029.tif 000005
【図４】
2004302029.tif 000006
【図５】
2004302029.tif 000007